(57)【特許請求の範囲】
【請求項１】
ケースと、
前記ケースに収容され、周りの一部が前記ケースの外部に露出されて測定対象と接触して回転する第１回転部と、
前記第１回転部の回転量を感知する第１感知部と、
前記第１回転部の回転量を測定長さに換算する制御部と、
前記第１回転部に個別に回転可能に結合されて周りに巻取られた帯が測定対象の長さだけ、前記ケースの外部に引き出される第２回転部と、
を含み、
前記第１回転部は、
前記ケースを貫通して設置される回転軸と、
前記回転軸に結合され、前記ケースの内部に配置され、前記測定対象の表面に接触した状態で回転して前記測定対象の表面に沿って移動する駆動ホイールと、
を含み、
前記回転軸は、多角柱状に形成され、前記駆動ホイールに結合される第１結合部と、前記第１結合部の端部から軸方向に沿って延び前記第２回転部に結合される円柱状の第２結合部と、
を含む長さ測定装置。
【請求項２】
前記第２回転部は、
前記第２結合部に結合され、前記回転軸から個別に駆動されるドラムを含み、
前記帯は、前記ドラムの周りに巻かれて、測定時に前記ケースの外部に引き出され、前記ドラムを回転させる、請求項１に記載の長さ測定装置。
【請求項３】
前記第２回転部は、
前記ドラムと前記第２結合部との間に配置されて前記ドラムを支持するドラム支持ベアリングをさらに含む、請求項２に記載の長さ測定装置。
【請求項４】
前記ドラムの回転量を感知する第２感知部をさらに含み、
前記第１感知部は、前記駆動ホイールの回転量を感知し、
前記制御部は、前記駆動ホイールの回転量又は前記ドラムの回転量を測定長さに換算する、請求項２に記載の長さ測定装置。
【請求項５】
前記ドラムに複数回巻かれた前記帯が、前記ケースの外部に引き出される前に１回巻かれている第３回転部と、
前記第３回転部の回転量を感知する第２感知部とをさらに含み、
前記第１感知部は、前記駆動ホイールの回転量を感知し、
前記制御部は、前記駆動ホイールの回転量又は前記第３回転部の回転量を測定長さに換算する、請求項２に記載の長さ測定装置。
【請求項６】
帯が引込又は引出される引出口を含むケースと、
前記ケースに設けられるスイッチと、
前記ケースに収容され、周りの一部が前記ケースの外部に露出されて測定対象と接触して回転し、中心に第１回転ギアが設けられた第１回転部と、
前記帯が複数回巻かれ、前記帯の引込又は引出により回転し、中心に第２回転ギアが設けられた第２回転部と、
前記スイッチに連結され、前記スイッチのスイッチング動作により前記第１回転ギアまたは前記第２回転ギアと噛合される第３回転ギアと、
前記第３回転ギアの回転量を感知する感知部と、
前記第３回転ギアの回転量を測定長さに換算する制御部と、
を含む長さ測定装置。
【請求項７】
前記感知部は、
前記第３回転ギアの回転軸に設置される、請求項６に記載の長さ測定装置。
【請求項８】
前記第３回転ギアは、
前記スイッチが第１の位置にある場合、前記第１回転ギアと噛合され、回転して前記感知部が前記第１回転部の回転量を感知するようにし、
前記スイッチが第２の位置にある場合、前記第２回転ギアと噛合され、回転して前記感知部が前記第２回転部の回転量を感知するようにする、請求項６に記載の長さ測定装置。
【請求項９】
前記第１回転ギアに噛合された第４回転ギアをさらに含み、
前記第４回転ギアは、
前記スイッチのスイッチング動作により前記第３回転ギアが前記第２回転ギアと噛合される場合、前記第３回転ギアにともに噛合される、請求項６に記載の長さ測定装置。
【請求項１０】
前記測定対象にガイド線を表示するレーザーガイド部をさらに含む、請求項１ないし９のいずれかに記載の長さ測定装置。
【請求項１１】
ユーザの音声信号の入力を受けるマイク部と、
前記入力されたユーザの音声信号及び前記測定長さをマッピングして保存する保存部と、
をさらに含む、請求項１ないし９のいずれかに記載の長さ測定装置。
【請求項１２】
前記測定長さを外部に伝送する通信部
をさらに含む、請求項１ないし９のいずれかに記載の長さ測定装置。
【請求項１３】
所定の信号を発生させて物体から反射して戻ってくる信号を受信して前記物体との距離を測定する非接触測定部
をさらに含む、請求項１ないし９のいずれかに記載の長さ測定装置。
【発明の詳細な説明】
【技術分野】
【０００１】
本発明は、測定対象物の大きさ、長さや幅などを測定する長さ測定装置に関し、さらに詳細には、測定対象物の直線の長さと曲線の長さの両方を測定することができる長さ測定装置及びこれを用いた長さ測定システムに関する。
【背景技術】
【０００２】
一般的に、巻尺はテープ状からなり、その表面に長さを示す目盛りが表示されていて、一定の空間の幅や広さを測定したり、測定対象物の大きさ、長さや幅などを測定したりするのに使用されている。
【０００３】
巻尺は様々な形状があるが、通常の巻尺はコイル状に巻かれ、表面に目盛りが表示された帯と、帯を保管することができる内部空間が形成され、内部空間に保管される帯の引込と引出を案内する出入口が構成されたケースを含み、ユーザが目盛りが表示された帯を長く引っ張って、帯の端部と本体付近の表記された部分に対して測定対象物の端に至る目盛りを読むことにより、測定対象物の長さを測定することができる。
【０００４】
しかし、従来の巻尺は、帯が自在に曲がる形状でないため、測定対象物の直線の長さは測定することができるが、円筒の円周や曲線の長さは測定することが困難な問題点があった。
【０００５】
そして、帯が自在に曲がる形状の巻尺は、直線の長さと曲線の長さの両方を測定することはできるが、測定しようとする長さが長くなると、帯が曲がるため、正確な長さを測定することができなかった。
【０００６】
また、従来の巻尺は測定可能な長さが帯の長さに限定される問題点があった。
【０００７】
さらに、従来の巻尺は手動的に長さを測定するものであって、目盛りを読む人によって誤差が発生して、いちいち長さを測定した後、手書きまたは別のタイプの過程を介して測定された数値を記入する必要があるため、煩わしいという問題点があった。
【先行技術文献】
【特許文献】
【０００８】
【特許文献１】韓国公開実用新案第２０−１９９９−００３７５６５号公報
【発明の概要】
【発明が解決しようとする課題】
【０００９】
したがって、本発明が解決しようとする技術的課題は、測定対象物の直線の長さ及び曲線の長さの両方を測定することができる長さ測定装置及びこれを用いた長さ測定システムを提供することである。
【課題を解決するための手段】
【００１０】
本発明の一実施形態に係る長さ測定装置は、ケースと、前記ケースに収容され、周りの一部が前記ケースの外部に露出されて測定対象と接触して回転する第１回転部と、前記第１回転部の回転量を感知する第１感知部と、前記第１回転部の回転量を測定長さに換算する制御部とを含む。
【００１１】
前記長さ測定装置は、帯が複数回巻かれ、前記ケースに形成された引出口を介した前記帯の引込又は引出により回転する第２回転部と、前記第２回転部の回転量を感知する第２感知部とをさらに含むことができる。
【００１２】
前記制御部は、前記第１回転部の回転量を測定長さに換算したり、前記第２回転部の回転量を測定長さに換算したりすることができる。
【００１３】
前記制御部は、前記第２回転部の単位回転量を長さに換算する換算比を、予め定められた区間ごとに段階的に小さく適用して、前記第２回転部の回転量を測定長さに換算することができる。
【００１４】
前記長さ測定装置は、前記帯の一端が取付けられて複数回巻かれ、前記ケースの外部に露出された前記帯の他端が前記ケースに形成された引出口にかかるまで自動的に前記帯を巻き戻す第２回転部と、前記ケースに形成された引出口を介した前記帯の引込又は引出により回転される第３回転部と、前記第３回転部の回転量を感知する第２感知部とをさらに含むことができる。
【００１５】
前記制御部は、前記第３回転部の回転量を測定長さに換算することができる。
【００１６】
前記第３回転部は、前記帯が１回巻かれていて、前記帯は、前記第２回転部から解かれて前記第３回転部を回転させることができる。
【００１７】
前記長さ測定装置は、前記帯が回転軸に沿って順次重ならないように複数回巻かれ、前記帯の引込又は引出により回転する第２回転部と、前記第２回転部の回転量を感知する第２感知部とをさらに含み、前記制御部は、前記第２回転部の回転量を測定長さに換算することができる。
【００１８】
前記第１回転部は、前記ケースを貫通して設置される回転軸と、前記回転軸に結合され、前記ケースの内部に配置され、前記測定対象の表面に接触した状態で回転して前記測定対象の表面に沿って移動する駆動ホイールとを含むことができる。
【００１９】
前記長さ測定装置は、前記第１回転部に個別に回転可能に結合されて周りに巻き取られた帯が測定対象の長さだけ、前記ケースの外部に引き出される第２回転部をさらに含み、前記回転軸は多角柱状に形成され、前記駆動ホイールに結合される第１結合部と、前記第１結合部の端部から軸方向に沿って延び前記第２回転部に結合される円柱状の第２結合部とを含むことができる。
【００２０】
前記第２回転部は、前記第２結合部に結合され、前記回転軸から個別に駆動されるドラムを含み、前記帯は前記ドラムの周りに巻かれ、測定時に前記ケースの外部に引き出され、前記ドラムを回転させることができる。
【００２１】
前記第２回転部は、前記ドラムと前記第２結合部との間に配置されて前記ドラムを支持するドラム支持ベアリングをさらに含むことができる。
【００２２】
前記長さ測定装置は、前記ドラムの回転量を感知する第２感知部をさらに含み、前記第１感知部は、前記駆動ホイールの回転量を感知し、前記制御部は、前記駆動ホイールの回転量又は前記ドラムの回転量を測定長さに換算することができる。
【００２３】
前記長さ測定装置は、前記ドラムに複数回巻かれた前記帯が、前記ケースの外部に引き出される前に１回巻かれている第３回転部と、前記第３回転部の回転量を感知する第２感知部とをさらに含み、前記第１感知部は、前記駆動ホイールの回転量を感知し、前記制御部は、前記駆動ホイールの回転量又は前記第３回転部の回転量を測定長さに換算することができる。
【００２４】
本発明の他の実施形態に係る長さ測定装置は、帯が引込または引出される引出口を含むケースと、前記ケースに設けられるスイッチと、前記ケースに収容され、周りの一部が前記ケースの外部に露出されて測定対象と接触して回転し、中心に第１回転ギアが設けられた第１回転部と、前記帯が複数回巻かれ、前記帯の引込または引出により回転し、中心に第２回転ギアが設けられた第２回転部と、前記スイッチに連結され、前記スイッチのスイッチング動作により前記第１回転ギアまたは前記第２回転ギアと噛合される第３回転ギアと、前記第３回転ギアの回転量を感知する感知部と、前記第３回転ギアの回転量を測定長さに換算する制御部と、前記測定長さを表示する表示部とを含む。
【００２５】
前記感知部は、前記第３回転ギアの回転軸に設けることができる。
【００２６】
前記第３回転ギアは、前記スイッチが第１の位置にある場合、前記第１回転ギアと噛合され、回転して前記感知部が前記第１回転部の回転量を感知するようにし、前記スイッチが第２の位置にある場合、前記第２回転ギアと噛合され、回転して前記感知部が前記第２回転部の回転量を感知するようにできる。
【００２７】
前記長さ測定装置は、前記第１回転ギアに噛合された第４回転ギアをさらに含み、前記第４回転ギアは、前記スイッチのスイッチング動作により前記第３回転ギアが前記第２回転ギアと噛合される場合、前記第３回転ギアにともに噛合されうる。
【００２８】
前記長さ測定装置は、前記測定対象にガイド線を表示させるレーザーガイド部をさらに含むことができる。
【００２９】
前記長さ測定装置は、ユーザの音声信号の入力を受けるマイク部と、前記入力されたユーザの音声信号及び前記測定長さをマッピングして保存する保存部とをさらに含むことができる。
【００３０】
前記長さ測定装置は、前記測定長さを外部に伝送する通信部をさらに含むことができる。
【００３１】
前記長さ測定装置は、所定の信号を発生させて物体から反射して戻ってくる信号を受信して前記物体との距離を測定する非接触測定部をさらに含むことができる。
【００３２】
本発明の他の実施形態に係る長さ測定システムは、測定長さに対応する音声信号をユーザから入力されて、前記測定長さに前記音声信号をタグ付けして伝送する長さ測定装置と、前記音声信号がタグ付けされた測定長さを伝送されて保存するユーザ端末とを含む。
【００３３】
前記長さ測定装置は、ジャイロセンサ部を備え、測定時の角度情報を取得して、前記測定長さとともに前記ユーザ端末に伝送し、前記ユーザ端末は、前記測定長さと前記測定時の角度情報を利用して、測定対象を自動的に認識することができる。
【発明の効果】
【００３４】
このように、本発明の実施形態に係る長さ測定装置及びこれを用いた測定システムによると、巻尺の用途を多様化して長い直線の長さの測定はもちろん、平面の曲線と立体面の距離までも正確に測定することができる利点がある。
【００３５】
そして、ユーザが巻尺に表示された目盛りの長さを確認するのではなく、測定長さが表示部に自動的に表示されるので、測定条件が異なっても正確に長さが測定され、安定した測定結果を獲得することができる利点がある。
【００３６】
さらに、通信部が内蔵されて、ユーザがボタンをクリックするだけで、ユーザの端末に測定長さを直ちに伝送することができるため、手書きまたは別のタイプの過程を介して測定された長さを記入する煩わしさを解決することができるという利点がある。
【００３７】
これに加え、測定長さの伝送時にユーザ端末に設けられた長さ測定アプリが自動的に実行されるようにして、ユーザに様々なサービスを提供することができる利点がある。
【００３８】
また、長さ測定装置の帯の引出に応じた測定長さ換算を正確に行うことができる。
【００３９】
また、第１回転部及び第２回転部は、それぞれ個別に駆動され、複合的な測定が可能であることはもちろん、第１回転部又は第２回転部のいずれかに異常が発生しても、残りの一つの回転部を利用して、測定対象の長さを測定することができる。
【００４０】
また、ケースに複数の貫通孔を形成して、複数の箇所から第１回転部の駆動ホイールをケースの外部に露出させることにより、測定時の把持が自在で、さまざまな方法で測定対象の長さを測定することができる。
【００４１】
また、駆動ホイールの表面をコーティング処理することにより、測定対象との接地力を上昇させて、より正確な測定を行うことができる。
【図面の簡単な説明】
【００４２】
【図１】本発明の一実施形態に係る長さ測定装置の概略的な斜視図。
【図２】本発明の一実施形態に係る長さ測定装置の電子的構成要素を示す図。
【図３】本発明の第１の実施形態に係る長さ測定装置の主要構成要素のケース内部配置関係を示す図。
【図４】本発明の一実施形態に係る長さ測定装置の前後にガイド線が表示された例を示す図。
【図５】本発明の第１の実施形態に係る長さ測定装置に帯が巻かれた形状を示す図。
【図６】本発明の第２の実施形態に係る長さ測定装置の主要構成要素の内部配置を示す図。
【図７】本発明の第２の実施形態に係る長さ測定装置に帯が巻かれた形状を示す図。
【図８】本発明の第３の実施形態に係る長さ測定装置に帯が巻かれた形状を示す図。
【図９】本発明の一実施形態に係る測定対象の直線の長さを測定する方法を示す例示図。
【図１０】本発明の一実施形態に係る測定対象の曲線の長さを測定する方法を示す例示図。
【図１１】本発明の一実施形態に係る長さ測定システムの構成を示す図。
【図１２】本発明の他の実施形態に係る長さ測定装置の概略的な斜視図。
【図１３】本発明の他の実施形態に係る長さ測定装置の電子的構成要素を示す図。
【図１４】本発明の第４の実施形態に係る長さ測定装置の主要構成要素のケース内部配置関係を示す図。
【図１５】本発明の第５の実施形態に係る長さ測定装置の主要構成要素のケース内部配置関係を示す図。
【図１６】本発明の第５の実施形態に係る長さ測定装置の主要構成要素のケース内部配置関係を示す図。
【図１７】本発明の他の実施形態に係る長さ測定装置の概略的な斜視図。
【図１８】本発明の他の実施形態に係る長さ測定装置の概略的な斜視図。
【図１９】本発明の第６の実施形態に係る長さ測定装置の主要構成要素のケース内部配置関係を示す図。
【図２０】本発明の第６の実施形態に係る長さ測定装置の主要構成要素のケース内部配置関係を示す図。
【図２１】本発明の第７の実施形態に係る長さ測定装置の主要構成要素のケース内部配置関係を示す図。
【発明を実施するための形態】
【００４３】
以下、添付した図面を参照して、本発明の実施形態について本発明が属する技術分野において通常の知識を有する者が容易に実施できるように詳細に説明する。
【００４４】
図１は、本発明の一実施形態に係る長さ測定装置の概略的な斜視図である。
【００４５】
図１を参照すれば、本発明に係る長さ測定装置１００は、帯１３１とフック１３２から構成される帯部１３０を含むことができる。長さ測定装置１００は、ケース１１０の内部に巻かれている帯１３１が引出口１１１を介して引出された程度を測定長さに換算することができる。例えば、ユーザが帯１３１の一端に締結されたフック１３２を引出口１１１の反対方向に引っ張ると、帯１３１が引出口１１１を介して引出されながら、内部の回転体（図示せず）を回転させ、回転体の回転量に応じて測定長さが増加する。逆に、ユーザがフック１３２を離すと自動的に帯１３１が巻き戻され、引出口１１１を介してケース１１０の内部に引き込まれ測定長さが減少する。回転体は、帯が自動的に巻き戻されるように帯１３１が引き出される方向と反対方向に復元力を持つように具現することができる。そして、帯１３１がケース１１０の内部に完全に入ってしまうことを防止するために、フック１３２を
0006294567.tif 000002
などのように一部が垂直に折り曲げられたかぎ状にして引出口１１１にかかるようにすることが望ましい。
【００４６】
帯１３１がケース１１０の内部で回転体に巻かれた構造及び帯１３１が引出口１１１を介して引出された程度を測定長さに換算する方法については、以下で詳細に説明する。
【００４７】
長さ測定装置１００は、ケース１１０の外部に一部が露出された第１回転部１６１の回転量に基づいて、測定長さを求めることもできる。例えば、第１回転部１６１を測定対象に接触させて長さ測定装置１００を一方向に押すか引くと、第１回転部１６１が回転されて測定長さが増加する。
【００４８】
一方、図１では、第１回転部１６１の一部が露出されたものと図示されているが、実施形態に従って、第１回転部１６１の全体がケース１１０の外部に露出されるように具現することも可能である。
【００４９】
実施形態に従って、第１回転部１６１は、帯が巻かれる回転体と一体に形成されても結合されてもよく、また他の実施形態によれば、第１回転部１６１は回転体とは別に分離されて動作するように具現されることもできる。第１回転部１６１と回転体との間の構造及び動作の関係については、以下で詳しく説明する。
【００５０】
長さ測定装置１００は、レーザーのような光を照射して測定対象物にガイド線を表示することができるレーザーガイド部１５０を含むことができる。図１にレーザーガイド部１５０を１つだけ図示したが、実施形態に従って、第１回転部１６１を基準にケース１１０の反対側に追加で設けることもできる。
【００５１】
長さ測定装置１００は、非接触測定部１４０からレーザー、赤外線または超音波などを発生させて反射して戻ってくる時間に基づいて測定長さを求める機能を含むこともできる。
【００５２】
長さ測定装置１００は、測定長さを視覚的に表示するためのディスプレイ部１２１を含むことができる。
【００５３】
長さ測定装置１００は、ユーザから長さ測定装置１００の動作に関連するコマンドの入力を受けるためのボタン部１２３をさらに含むことができる。ボタン部１２３は、機械的構造で具現されるほか、タッチパッドなどのようにユーザが該当部位を指などで接触することを感知することができる方式で具現することも可能である。
【００５４】
図２は、本発明の一実施形態に係る長さ測定装置の電子的構成要素を示す図であり、図３は、本発明の第１の実施形態に係る長さ測定装置の主要構成要素のケース内部配置関係を示す図である。
【００５５】
図１〜図３を参照すれば、長さ測定装置１００は、ケース１１０、入出力部１２０、帯部１３０、非接触測定部１４０、レーザーガイド部１５０、第１回転部１６１、第２回転部１６２、感知部１８０、制御部１９１、保存部１９３、通信部１９５、電源部１９７及びジャイロセンサ部１９９を含むことができる。
【００５６】
ケース１１０は、長さ測定装置１００の各構成要素を内部に収容して保護する機能を遂行し、帯１３１が外部に引き出される引出口１１１を含むことができる。ケース１１０のデザインは実施形態により異なりうる。
【００５７】
入出力部１２０は、長さ測定装置１００の動作に関連するコマンドをユーザから入力を受けたり、長さ測定装置１００の動作に関連する情報をユーザに出力したりする機能を遂行することができる。
【００５８】
具体的には、入出力部１２０は、ディスプレイ部１２１、ボタン部１２３、スピーカ部１２５及びマイク部１２７をすべて含む、または一部を含むことができる。
【００５９】
ディスプレイ部１２１は、長さ測定装置１００の動作に関連する情報を視覚的に表示する機能を遂行し、そのためにＬＥＤ、ＬＣＤ、ＯＬＥＤなどのディスプレイモジュールとして具現することができる。具体的には、ディスプレイ部１２１は、長さ測定装置１００で測定された測定長さを表示することができ、現在の動作モードに関する情報を表示することもできる。
【００６０】
ボタン部１２３は、ユーザから長さ測定装置１００の動作モードを設定するためのコマンドの入力を受けることができる。例えば、ユーザがボタン部１２３を１回押すと帯１３１による長さ測定モード（以下、帯測定モード）、２回押すと第１回転部１６１の回転量による長さ測定モード（以下、ホイール測定モード）、３回押すと非接触測定部１４０による長さ測定モード（以下、非接触測定モード）などが選択されるものとして具現することができる。もちろん、ここで例示したもの以外にも、ボタン部１２３は、実施形態に従って、長さ測定装置１００の動作に関連する各種コマンドをユーザから入力を受けられるよう具現することができる。
【００６１】
一方、第１回転部１６１を介してユーザからコマンドの入力を受けるように具現することも可能である。例えば、ボタン部１２３を押すと、ディスプレイ部１２１に初期メニューが表示され、ユーザが第１回転部１６１を回転させながら、下位メニューを選択できるように具現することも可能である。例えば、ボタン部１２３を１回押すと、３種類の長さ測定モードのいずれかが表示され、ユーザが第１回転部１６１を回転させることによって制御部１９１は、ディスプレイ部１２１に表示される長さ測定モードを変更させることができる。以後、ユーザが特定の長さ測定モードがディスプレイ部１２１に表示された状態で、再度ボタン部１２３を押すと、該当モードが選択され、長さ測定装置１００は選択されたモードで動作するようにできる。もちろん、ここで説明した以外にも、ボタン部１２３と第１回転部１６１をユーザが選択的に操作すると、それに対応するユーザコマンドの入力を受けるように具現することが可能である。
【００６２】
図１では、ボタン部１２３を構成するボタンがケース１１０の中央部に配置されたもので例示したが、その他の位置に配置されることも可能である。また、ボタン形式ではなく、他の方式、例えばユーザの手によるタッチなどを感知することができるタッチモジュールや機械的スイッチなどでボタン部１２３を代替することも可能である。また、ボタン部１２３は、複数の文字キー、数字キー又は機能キーを含むキーパッドの形態で具現することも可能である。
【００６３】
スピーカ部１２５は、長さ測定装置１００の動作に関連する情報を音で出力する機能を遂行する。具体的には、ディスプレイ部１２１は、長さ測定装置１００で測定された測定長さ又は現在の動作モードに関する情報を音声で出力することもできる。
【００６４】
マイク部１２７は、ユーザから長さ測定装置１００の動作に関連する各種コマンドや情報を音声で入力される機能を遂行することができる。
【００６５】
帯部１３０は、帯１３１とフック１３２で構成することができる。
【００６６】
帯１３１は、糸状、帯状またはテープ状など多様な形状で具現することができる。
【００６７】
帯１３１は、一端が第２回転部１６２に取付けられ複数回巻かれ、ケース１１０に形成された引出口１１１を介して外部に引出すことができる。そして、ユーザが帯１３１の他端に締結されたフック１３２を引出口１１１の反対方向（図３のＡ方向）に引っ張ると、第２回転部１６２を回転させながら引出口１１１を介して引出される。
【００６８】
非接触測定部１４０は、レーザー、赤外線または超音波などを発生させて反射して戻ってくる信号を受信することができる。これにより、長さ測定装置１００から離間されている測定対象までの距離を遠隔で測定することができる。
【００６９】
レーザーガイド部１５０は、レーザーを測定対象物に照射し、ガイド線を表示するようにできる。図２に示すように、レーザーガイド部１５０を、第１回転部１６１を中心に両側に配置すると、図４に例示したように、長さ測定装置１００の前後にガイド線２１０、２２０が表示するようにできる。ガイド線２１０、２２０に沿って長さ測定装置１００を移動させることにより、正確な長さ測定が可能となる。
【００７０】
第１回転部１６１は、ケース１１０の外部に一部または全部が露出され、測定対象に接触された状態で、Ｃ方向またはＤ方向に回転するように構成することができる。例えば、ユーザがケース１１０を把持し、Ａ方向に移動させると、測定対象に接触された第１回転部１６１は、Ｃ方向に回転するようになる。逆に、ユーザが長さ測定装置１００をＢ方向に移動させると、第１回転部１６１は、Ｄ方向に回転するようになる。
【００７１】
第２回転部１６２は、帯１３１が引っ張られると、該当方向に回転をするが、引張ばね又はぜんまいのような弾性部材（図示せず）を備え、帯１３１の引出を阻止する方向に復元力を有するように構成することができる。これにより、ユーザが長さ測定を終えてフック１３２を離すと、第２回転部１６２は、Ｂ方向に回転しながら帯１３１が再び巻かれながら、内部に引き込まれるようにすることができる。
【００７２】
感知部１８０は、第１感知部１８１と第２感知部１８２を含むことができる。
【００７３】
第１感知部１８１と第２感知部１８２は、ポテンショメータセンサー（ｐｏｔｅｎｔｉｏｍｅｔｅｒ  ｓｅｎｓｏｒ）、ロータリーエンコーダー（ｒｏｔａｒｙ  ｅｎｃｏｒｄｅｒ）などのような回転感知センサーとして具現することができ、それぞれ第１回転部１６１と第２回転部１６２の回転量を感知することができる。このため、第１感知部１８１と第２感知部１８２は、それぞれ第１回転部１６１と第２回転部１６２の回転軸に設けることができる。
【００７４】
保存部１９３は、長さ測定装置１００の動作に関連する各種情報、データ、およびプログラムを記録し、制御部１９１の要請に応じて提供することができる。
【００７５】
通信部１９５は、長さ測定装置１００と外部装置との間で有線または無線通信方式を介して各種の情報及びデータを交換するように支援することができる。ここで、有線通信方式は、ＵＳＢ（Ｕｎｉｖｅｒｓａｌ  Ｓｅｒｉａｌ  Ｂｕｓ）ケーブルなどを利用した通信方式を含むことができ、無線通信方式は、ワイファイ（Ｗｉ−Ｆｉ）（登録商標）、ブルートゥース（ｂｌｕｅｔｏｏｔｈ）（登録商標）、ジグビー（ｚｉｇｂｅｅ）（登録商標）、赤外線通信（ＩｒＤＡ、  Ｉｎｆｒａｒｅｄ  Ｄａｔａ  Ａｓｓｏｃｉａｔｉｏｎ）（登録商標）、ＵＷＢ（Ｕｌｔｒａ  Ｗｉｄｅｂａｎｄ）またはＲＦＩＤ（Ｒａｄｉｏ  Ｆｒｅｑｕｅｎｃｙ  Ｉｄｅｎｔｉｆｉｃａｔｉｏｎ）、ＮＦＣなどの近距離通信方式や３Ｇ（３ｒｄ  Ｇｅｎｅｒａｔｉｏｎ）、４Ｇ（４ｔｈ  Ｇｅｎｅｒａｔｉｏｎ）またはＬＴＥ（Ｌｏｎｇ  Ｔｅｒｍ  Ｅｖｏｌｕｔｉｏｎ）などのような移動通信方式を含むことができる。
【００７６】
電源部１９７は、長さ測定装置１００の各構成要素の動作に必要な電源を供給する機能を遂行し、バッテリーとして具現されることができる。
【００７７】
ジャイロセンサ部１９９は、長さ測定装置１００の姿勢及び移動軌跡などを測定する機能を遂行することができる。
【００７８】
制御部１９１は、長さ測定装置１００の全体的な動作を制御する。具体的には、制御部１９１は、帯測定モードの場合は、帯１３１の引出し程度を測定長さに換算することができる。また、制御部１９１は、ホイール測定モードの場合は、第１回転部１６１の回転量を測定長さに換算することができ、非接触測定モードの場合は、非接触測定部１４０からレーザー、赤外線または超音波などが発生して再受信された時間などを測定長さに換算することができる。
【００７９】
制御部１９１は、測定長さを、表示部１２１を介して表示したり、スピーカ部１２５を介して音として出力したりすることができる。また、制御部１９１は、測定長さを、通信部１９５を介して外部装置に伝送することもできる。
【００８０】
制御部１９１は、測定長さを保存部１９３に記録することも可能である。制御部１９１は、測定長さを保存するとき、マイク部１２７を介してユーザから入力された音声情報をタグ（ｔａｇ）としてつけておくこともできる。測定対象を特定することができる単語をタグとして測定長さに適用させることにより、後で該当測定対象の測定長さを確認することが容易になり、多数の長さ測定データを管理することが容易になる。
【００８１】
制御部１９１は、音声文字認識プログラムを利用して、ユーザから声で入力されたタグ情報を自動的に文字に変換して、測定長さにタグして保存させることが望ましい。一方、制御部１９１は、測定長さとその測定長さのタグ情報を一緒に外部デバイスに伝送することもできる。もちろん、タグ情報を音声で保存して、外部装置で文字に変換するように具現することも可能である。
【００８２】
図５は、本発明の第１の実施形態に係る長さ測定装置の帯が巻かれた形状を示す図である。
【００８３】
図５に例示したように、帯１３１が第２回転部１６２に複数回巻かれて積層されている。したがって、第２回転部１６２が１回転するたびに解かれる帯１３１の長さは次第に短くなる。
【００８４】
第２回転部１６２の直径（ｄｃｏｉｌ）が３２ｍｍであり、帯１３１の厚さ（ｔ）が２ｍｍであれば、帯１３１が第２回転部１６２にｎ回巻かれたときの巻かれた帯１３１の厚さまで考慮した換算直径（ｄ’ｃｏｉｌ）と換算円周（ｌ）は、以下の表１の通りである。表１は、１５回帯１３１が巻かれたときまでを示した。
【００８５】
【表１】
0006294567.tif 000003
図５において、長さ（ｂ）は、フック１３２が引出口１１１にかかっている初期状態で帯１３１が第２回転部１６２に巻かれていない部分の長さを示す。
【００８６】
長さ（ｂ）まで反映して、帯１３１が引出口１１１の外に引き出された長さ（ｆ）と、第２回転部１６２の累積回転角度（ｊ）と、長さ回転換算比（ｋ）とを求めてみると、以下の表２のとおりである。ここで、ｋ＝ｆ／ｈで求められる。表２において、長さ（ｂ）は、５０ｍｍであると仮定した。
【００８７】
【表２】
0006294567.tif 000004
番号（ｉ＝１）は、２つの部分に分かれている。長さ（ｆｉ）が５０ｍｍである部分は、初期状態で帯１３１が第２回転部１６２に巻かれていない部分に該当し、長さ（ｆｉ）が２８９．０ｍｍである部分は、帯１３１が最も外郭に巻かれていた部分（表１において巻き回数１５に該当する部分）が解かれたものに該当する。したがって、初期状態に最も外郭に巻かれていた部分までの帯１３１が解かれれば、第２回転部１６２の累積回転角度（ｊｉ）は、４２２．３°となる。そして、第２回転部１６２が１°回転するたびに、０．８０３ｍｍずつ帯１３１が引き出される。
【００８８】
以降、順次、番号（ｉ＝２）に該当する区間から番号（ｉ＝１５）に該当する区間まで換算比（ｋｉ）を表２に例示したように、段階的に小さく適用し、以下の数式１に示したように、第２回転部１６２の回転量を測定長さに換算することができる。
【００８９】
番号（ｉ＝１）に該当する区間は、前述したように、２つの部分に分かれているので、ｆ１＝３３９．０ｍｍ（＝５０ｍｍ＋２８９．０ｍｍ）、ｊ１＝４２２．３°で適用し、以下の数式１を適用すると、測定長さ（ｆｆｉｎａｌ）を正確に計算することができる。
【００９０】
【数１】
0006294567.tif 000005
ここで、Ａは第２感知部１８２で測定された第２回転部１６２の回転量である。例えばホイール測定モードに設定し、第２回転部１６２を測定対象に接触させた状態で回転させながら測定動作を停止するまで測定された総回転量を意味する。
【００９１】
図６は、本発明の第２の実施形態に係る長さ測定装置の主要構成要素の内部配置を示す図であり、図７は、本発明の第２の実施形態に係る長さ測定装置の帯が巻かれた形状を示す図である。
【００９２】
第２の実施形態によれば、前記の数式１で説明したような複雑な計算をしなくても帯１３１の引込又は引出による長さ測定を正確に行うことができる。
【００９３】
第２の実施形態に係る長さ測定装置は、電子的構成要素は第１の実施形態に係る長さ測定装置と同様の構成要素を有することができる。ただし、第２の実施形態に係る長さ測定装置は、第３回転部１６３をさらに備え、第２感知部１８２を第３回転部１６３の回転量を測定することができるように、第３回転部１６３の回転軸に設けることができる。
【００９４】
帯１３１は、第２回転部１６２に一端が取付けられて複数回巻かれた後、第３回転部１６３に１回巻かれた構造を有することができる。したがって、帯１３１の他端に締結されたフック１３２を引っ張ると、帯１３１は、第２回転部１６２と第３回転部１６３を同時に回転させながら引出口１１１を介してケース１１０の外に引出すことができる。
【００９５】
前述のように、第２回転部１６２は、帯１３１が積層されて巻かれているので、帯１３１が解かれて第２回転部１６２が１回転するたびに引き出される長さが小さくなる。これに対して、第３回転部１６３は、１回転するたびに引き出される帯１３１の長さが同様に維持される。
【００９６】
したがって、第２回転部１６２でなく第３回転部１６３の回転量を第２感知部１８２が感知するようにし、これを換算して測定長さを計算すると、数式１のような複雑な計算をしなくてもよい。
【００９７】
図８は、本発明の第３の実施形態に係る長さ測定装置に帯が巻かれた形状を示す図である。
【００９８】
第３の実施形態に係る長さ測定装置は、電子的構成要素は第１の実施形態に係る長さ測定装置と同様の構成要素を有することができる。ただし、第３の実施形態に係る長さ測定装置は、第１の実施形態で第２回転部１６２の構造を図８に例示したように変形して適用することができる。
【００９９】
第３の実施形態において、第２回転部１６２は、帯１３１が回転軸に沿って順次重ならないように複数回巻くことができる糸巻き（ｂｏｂｂｉｎ）の形態で具現することができる。もちろん帯１３１が引き出された後に自動的に巻き戻されるように、第２回転部１６２は、帯１３１が引き出される方向の逆に復元力を有するように構成することができる。
【０１００】
第３の実施形態に係る長さ測定装置は、帯１３１が第２回転部１６２の回転軸に沿って順次重ならないように第２回転部１６２に巻かれて解かれるように、第１ギア１６４、第２ギア１６５、チェーン１６６、移動部材１６７、固定バー１６８及び回転バー１６９をさらに含むことができる。
【０１０１】
第１ギア１６４は、第２回転部１６２の回転軸に設置され、第２回転部１６２が回転すると、ともに回転する。
【０１０２】
第２ギア１６５は、チェーン１６６を介して第１ギア１６４と連結されており、回転バー１６９の回転軸に設置される。第２ギア１６５は、第１ギア１６４が回転すると、ともに回転しながら回転バー１６９を回転させる。
【０１０３】
回転バー１６９は、周りにねじ山が形成されており、第２ギア１６５の回転に応じて回転する。
【０１０４】
回転バー１６９の回転軸と第２回転部１６２の回転軸は、平行な方向を有する。
【０１０５】
移動部材１６７は、回転バー１６９が貫通する第１ホール１６７ａ、固定バー１６８が貫通する第２ホール１６７ｂ及び帯１３１が貫通する第３ホール１６７ｃを有することができる。
【０１０６】
第１ホール１６７ａは、回転バー１６９に形成されたねじ山と噛み合うように形成されたねじ山を有することができる。第１ホール１６７ａに形成されたねじ山は、回転バー１６９が回転すると、移動部材１６７を回転バー１６９の回転軸方向に移動させる機能を遂行する。
【０１０７】
第２ホール１６７ｂは、移動部材１６７がぶれずに安定して回転バー１６９に沿って移動できるようにガイドする機能を遂行する。図８では、第２ホール１６７ｂが第１ホール１６７ａの両側に形成されたものとして図示したが、実施形態に従って、第１ホール１６７ａの一側のみに形成されてもよい。
【０１０８】
移動部材１６７は、回転バー１６９の回転により移動しながら帯１３１が第２回転部１６２の回転軸に順次巻かれるようにガイドする機能を遂行する。移動部材１６７は、第３ホール１６７ｃに帯１３１が摩擦力なしに引込又は引出されるようにローラーのような手段を備えることができる。
【０１０９】
第１ギア１６４と第２ギア１６５のギア比により第２回転部１６２が１回転したときに移動部材１６７が回転バー１６９により移動する程度が異なるため、第１ギア１６４と第２ギア１６５のギア比は、回転バー１６９の回転により移動部材１６７が移動しながら帯１３１が重ならず、順次に第２回転部１６２に巻かれるようにガイドするのに適するようにギア比が選択されうる。
【０１１０】
図９は、本発明の一実施形態に係る測定対象の直線の長さを測定する方法を示す例示図である。
【０１１１】
図９を参照すれば、ユーザがフック１３２を測定対象５１の角に固定させた後、ケース１１０を手で把持したまま引っ張ると、帯の引出により帯が巻かれている内部の回転体が回転し、回転体の回転量を感知して測定対象５１の直線の長さを測定することができるようになる。もちろん、その他にもさまざまな方法で帯１３１を引出して、測定対象の長さを測定することが可能である。
【０１１２】
図１０は、本発明の一実施形態に係る測定対象の曲線の長さを測定する方法を示す例示図である。
【０１１３】
図１０を参照すれば、帯１３１をケース１１０の内部に引き込ませてフック１３３が引出口１１１にかかった状態で、ケース１１０を把持して測定対象５２の開始点から終了点まで第１回転部１６１の周りの一部を接触させて押すか引くと、第１回転部１６１が回転しながら回転程度を感知して、曲線の長さを測定することができる。図１０に示すように、測定対象５２が中に窪んでいる場合でも、曲線の長さを正確に測定することができるという利点がある。
【０１１４】
図１１は、本発明の一実施形態に係る長さ測定システムの構成を示す図である。
【０１１５】
図１１を参照すれば、本発明の一実施形態に係る長さ測定システムは、長さ測定装置１００及びユーザ端末２００を含んで構成される。長さ測定装置１００は、前記で説明した様々な実施形態による装置が用いられうる。
【０１１６】
ユーザ端末２００は、パーソナルコンピュータ（ＰＣ）、スマートフォン（Ｓｍａｒｔ  Ｐｈｏｎｅ）、タブレット（Ｔａｂｌｅｔ）ＰＣ、個人携帯情報端末機（Ｐｅｒｓｏｎａｌ  Ｄｉｇｉｔａｌ  Ａｓｓｉｓｔａｎｔ、ＰＤＡ）やウェブパッド（Ｗｅｂ  Ｐａｄ）などのように、メモリ手段を備えマイクロプロセッサを搭載して演算能力を備えた移動通信機能を備えた端末機からなることができ、さまざまなアプリケーションが設けられ、ユーザに様々なサービスを提供することができる。
【０１１７】
特に、本発明の一実施形態に係るユーザ端末２００は、長さ測定装置１００から伝送されたユーザ信号に応じて自動的に実行され、測定長さを受信することができる長さ測定アプリ２１０が設置されることができる。受信された測定長さは、長さ測定アプリ２１０に自動的に入力されたり保存されたりすることができる。
【０１１８】
例えば、ユーザが長さ測定装置１００に備えられた入出力部１２０を介して測定長さをユーザ端末２００に伝送要請すると、ユーザ端末２００の長さ測定アプリ２１０は自動的に実行されて、長さ測定アプリ２１０は測定長さを入力されることができる複数のセルを表示して、ユーザに測定長さが入力されるセルを選択し得るように構成することができる。また、長さ測定装置１００の入出力部１２０が、複数のボタンからなる場合、各ボタンがホットキー（Ｈｏｔ  ｋｅｙ）として作用して長さ測定アプリ２１０や長さ測定アプリ２１０の該当するセルに測定長さが自動的に入力されるようにできる。
【０１１９】
そして、長さ測定装置１００が測定対象の測定角度を感知するジャイロセンサ部１９９を含む場合、ユーザ端末２００は、長さ測定装置１００から測定長さとともにジャイロセンサ部１９９で感知された測定角度を入力され、測定角度に応じて測定長さが長さ測定アプリ２１０に自動的に入力されるようにする。このとき、ジャイロセンサ部１９９で感知された測定対象の測定角度を利用して、直線と曲線を自動的に認識することができる。
【０１２０】
例えば、ユーザの身体数値を測定しようとする場合、長さ測定装置１００を介してユーザの首周りを測定してユーザ端末２００に伝送すると、長さ測定アプリ２１０が実行され、ユーザの身体数値を測定するための画面であるユーザの足の長さ、首周り、肩幅を測定するための画面及び測定された長さを入力するための複数のセルが表示され、ジャイロセンサ部１９９で感知された測定角度（水平方向）に応じて、ユーザの身体の中で首周りの数値であることを自動的に感知し、首周りの数値が該当セルに自動的に入力されて表示したり保存したりすることができる。そして、長さ測定装置１００でユーザの足の長さを測定すると、ジャイロセンサ部１９９で感知された測定角度（垂直方向）に応じて、ユーザの身体の中で足の長さの数値であることを自動的に感知して、足の長さの数値が該当セルに自動的に入力されて表示したり保存したりすることができる。一方、測定された長さ数値と長さ測定時の角度情報（長さ測定装置１００の移動軌跡情報など）を一緒に保存することにより、測定対象の長さ情報だけでなく、周りの形状情報も取得することが可能である。
【０１２１】
そして、マイク部１２７で入力されたユーザの音声信号に応じて長さ測定アプリ２１０に測定長さが自動的に入力されるようにする。つまり、ユーザの音声信号に基づいて、複数のセルの中、該当セルに測定長さが自動的に入力されて表示したり保存したりするようにできる。長さ測定装置１００で測定が完了した後、ユーザが長さ測定装置１００に備えられたボタン部１２３を押して伝送を選択すると、該当測定長さがどの位置に該当する値であるかをユーザの音声信号としてタグすることができる。例えば、測定長さをユーザ端末２００に伝送時、“腰”というユーザの音声信号を一緒に伝送すると、長さ測定アプリ２１０は、音声認識プログラムを利用して腰を認識し、腰に該当するセルに測定長さが自動的に入力されて保存されるようにする。
【０１２２】
一方、長さ測定装置１００は、ＧＰＳ送受信部や圧力感知部（図示せず）などの構成要素をさらに含むことができる。例えば、ＧＰＳ送受信部は測定された場所に対する位置情報を受信して保存部１９３に保存したり、ユーザ端末２００に伝送されるようにして、ユーザが測定長さとともに測定位置情報を確認可能にする。
【０１２３】
図１２は、本発明の他の実施形態に係る長さ測定装置の概略的な斜視図であり、図１３は、本発明の他の実施形態に係る長さ測定装置の電子的構成要素を示す図であり、図１４は、本発明の第４の実施形態に係る長さ測定装置の主要構成要素のケース内部配置関係を示す図である。
【０１２４】
図１２〜図１４に例示された第４の実施形態に係る長さ測定装置は、図１〜図３に例示された長さ測定装置と、ほとんどの構成要素を同じように有する。図１〜図３に例示された長さ測定装置の構成要素と同一の機能を有する構成要素は、同じ参照符号を付与して、具体的な説明は、図１〜図３に記載された内容に代替し、ここでは差別的な構成要素に対して説明する。
【０１２５】
本発明の第４の実施形態に係る長さ測定装置１００は、ユーザからの長さ測定装置１００の動作モード設定コマンドの入力を受けるためのスイッチ１７０をさらに含むことができる。例えば、ユーザがスイッチ１７０を上に上げると帯１３１による長さ測定モード（以下、帯測定モード）が選択され、ユーザがスイッチ１７０を下に下げると、第１回転部１６１の回転量による長さ測定モード（以下、ホイール測定モード）が選択されて具現されることができる。スイッチ１７０の位置により動作モードを設定する方法については、以下で詳細に説明する。
【０１２６】
スイッチ１７０は、ケース１１０に設けられ、スイッチング動作により、第１の位置（Ｐ１）又は第２の位置（Ｐ２）に移動することができる。例えば、ユーザがスイッチ１７０を第１の位置（Ｐ１）に移動させると（下に下げると）、第１回転部１６１の回転量による長さ測定モード（以下、ホイール測定モード）が選択され、ユーザがスイッチ１７０を第２の位置（Ｐ２）に移動させると（上に上げれば）、第２回転部１６２の回転量による長さ測定モード（以下、帯測定モード）などが選択されたものとして具現することができる。その他、スイッチ１７０は、オンまたはオフの状態でスイッチング動作するトグル（ｔｏｇｇｌｅ）スイッチなどからなりうる。
【０１２７】
第１回転部１６１は、ケース１１０の外部に一部または全部が露出されて、測定対象に接触された状態でＣ方向またはＤ方向に回転するように構成することができる。例えば、ユーザがケース１１０を把持し、Ａ方向に移動させると、測定対象に接触された第１回転部１６１はＣ方向に回転する。逆に、ユーザが長さ測定装置１００をＢ方向に移動させると、第１回転部１６１はＤ方向に回転する。
【０１２８】
第１回転部１６１は、中心に第１回転軸１６１ａが形成され、第１回転軸１６１ａを中心に回転運動する第１回転ギア１６１ｂが設置されることができる。
【０１２９】
第２回転部１６２は、帯１３１が引っ張られると該当方向に回転するが、引張ばねまたはぜんまいのような弾性部材（図示せず）を備えて、帯１３１の引出を阻止する方向に復元力を有するように構成することができる。これにより、ユーザが長さ測定を終えてフック１３２を離すと、第２回転部１６２はＢ方向に回転しながら帯１３１が再び巻かれながら、内部に引き込まれるようにすることができる。
【０１３０】
第２回転部１６２は、中心に第２回転軸１６２ａが形成され、第２回転軸１６２ａを中心に回転運動する第２回転ギア１６２ｂが設置されうる。
【０１３１】
第３回転ギア１７２は、スイッチ１７０に連結されてスイッチ１７０のスイッチング動作により、第１回転ギア１６１ｂまたは第２回転ギア１６２ｂと噛合することができる。第３回転ギア１７２は、スイッチ１７０が第１の位置（Ｐ１）にある場合、第１回転ギア１６１ｂと噛合され回転することができ、スイッチ１７０が第２の位置（Ｐ２）にある場合、第２回転ギア１６２ｂと噛合され回転することができる。
【０１３２】
感知部１８０は、ポテンショメータセンサー（ｐｏｔｅｎｔｉｏｍｅｔｅｒ  ｓｅｎｓｏｒ）やロータリーエンコーダー（ｒｏｔａｒｙ  ｅｎｃｏｒｄｅｒ）などのような回転感知センサーで具現することができ、第３回転ギア１７２の回転量を感知することができる。このため、感知部１８０は、第３回転ギア１７２の回転軸に設置することができる。
【０１３３】
さらに詳細には、第３回転ギア１７２は、スイッチ１７０が第１の位置（Ｐ１）にある場合、第１回転ギア１６１ｂと噛合され回転して感知部１８０が第１回転部１６１の回転量を感知するようにし、スイッチ１７０が第２の位置（Ｐ２）にある場合、第２回転ギア１６２ｂと噛合され回転して感知部１８０が第２回転部１６２の回転量を感知するようにする。
【０１３４】
制御部１９１は、長さ測定装置１００の全体的な動作を制御する。具体的には、制御部１９１は、第３回転ギア１７２の回転量を測定長さに換算することができる。
【０１３５】
制御部１９１とスイッチ１７０の電気的な連結を図示はしなかったが、制御部１９１は、スイッチ１７０の位置（第１の位置または第２の位置）を認知して、スイッチ１７０の位置による動作モードを実行することができる。例えば、制御部１９１は、スイッチ１７０が第１の位置（Ｐ１）に移動されると、これを認知して第１回転部１６１の回転量による長さ測定モード（以下、ホイール測定モード）で動作されるようにし、スイッチ１７０が第２の位置（Ｐ２）に移動されると、これを認知して第２回転部１６２の回転量による長さ測定モード（以下、帯測定モード）で動作されるようにする。
【０１３６】
制御部１９１は、帯測定モードの場合、第２回転ギア１６２ｂと噛合された第３回転ギア１７２の回転軸に設置された感知部１８０を利用して、第２回転部１６２の回転量（すなわち、第３回転ギア１７２の回転量）を感知して帯１３１の引出の程度を測定長さに換算することができる。また、制御部１９１は、ホイール測定モードの場合は、第１回転ギア１６１ｂと噛合された第３回転ギア１７２の回転軸に設置された感知部１８０を利用して、第１回転部１６１の回転量（すなわち、第３回転ギア１７２の回転量）を測定長さに換算することができ、非接触測定モードの場合は、非接触測定部１４０からレーザー、赤外線または超音波などが発生して、再受信された時間などを測定長さに換算することができる。
【０１３７】
図１５及び図１６は、本発明の第５の実施形態に係る長さ測定装置の主要構成要素のケース内部配置関係を示す図である。
【０１３８】
図１５及び図１６を参照すれば、第５の実施形態に係る長さ測定装置１００は、第４の実施形態に係る長さ測定装置に比べて、第１回転ギア１６１ｂに噛合された第４回転ギア１９０をさらに含むことができる。
【０１３９】
第４回転ギア１９０は、図１５に示すように、スイッチ１７０が第１の位置（Ｐ１）にある場合（ホイール測定モードが選択される場合）、第３回転ギア１７２とともに第１回転ギア１６１ｂに噛合することができる。この場合、第２回転ギア１６２ｂは、他の回転ギアと分離されているので、第１回転部１６１が回転しても影響を受けない。
【０１４０】
一方、図１６のように、スイッチ１７０が第２の位置（Ｐ２）にある場合（帯測定モードが選択される場合）、第１回転ギア１６１ｂに噛合され、第２回転ギア１６２ｂと噛合された第３回転ギア１７２にともに噛合することができる。これにより、帯測定モードでは、第１回転ギア１６１ｂ、第２回転ギア１６２ｂ、第３回転ギア１７２及び第４回転ギア１９０が連動して回転することができる。
【０１４１】
そして、長さ測定装置１００は、フック１３２を嵌めることができるフック嵌め溝（図示せず）がさらに備えられうる。例えば、ユーザが長さ測定装置１００を帯測定モードで動作させて腰周りを測定しようとする場合、ユーザは腰周りに合わせて帯１３１を任意に引出した後、引出された帯１３１を腰周りに沿って囲みながら、フック１３２をフック嵌め溝に嵌めて腰周りを測定することができる。このとき、帯１３１は、ユーザが任意に引出した状態であるため、長さに誤差が発生するようになり、このような誤差を減らすために帯１３１を腰周りに沿って張りを維持させる過程が必要である。このため帯１３１が腰周りを囲んでいる状態で、ユーザが第１回転部１６１を帯１３１の引出方向と反対方向に回転させると、第１回転ギア１６１ｂの回転に応じて第４回転ギア１９０、第３回転ギア１７２及び第２回転ギア１６２ｂが順次連動して反対方向に回転されるので、帯１３１はケース１１０の内部に引き込まれ、これにより張った状態で腰周りを囲むようになる。
【０１４２】
このように帯１３１が腰周りを張った状態で囲んだ状態で長さを測定するため、正確な腰周りを測定することができる。
【０１４３】
一方、本発明に係る第４の実施形態及び第５実施形態に係る長さ測定装置も図５に例示したように、帯１３１が第２回転部１６２に複数回巻かれて積層されていれば、第２回転部１６２が１回転するたびに解かれる帯１３１の長さは次第に短くなる点を考慮して、数式１のようなアルゴリズムを適用して単位回転量を長さに換算する換算比を予め定められた区間ごとに段階的に小さく適用するように具現することができる。または図６に例示したように、第３回転部１６３をさらに備え、第２回転部１６２でなく第３回転部１６３の回転量を測定長さに換算したり、図８に例示したように、第２回転部１６２を具現して、数式１のような複雑な計算をしないように具現することも可能である。
【０１４４】
図１７及び図１８は、本発明の他の実施形態に係る長さ測定装置の概略的な斜視図であり、図１９及び図２０は、本発明の第６の実施形態に係る長さ測定装置の主要構成要素のケース内部配置関係を示す図である。
【０１４５】
図１７〜図２０に例示された第６の実施形態に係る長さ測定装置は、図１〜図３に例示された長さ測定装置とほとんどの構成要素を同様に有する。図１〜図３に例示された長さ測定装置の構成要素と同一の機能を有する構成要素は同じ参照符号を付与し、具体的な説明は図１〜図３に記載された内容に代替し、ここでは差別的な構成要素に対して説明する。
【０１４６】
第６の実施形態に係る長さ測定装置１００の電子的構成要素は、図３に例示されたものと同じ構成要素を有する。
【０１４７】
図１７及び図１８を参照すると、第６の実施形態に係る長さ測定装置１００で、ケース１１０は、本長さ測定装置１００の各構成要素を内部に収容して保護する機能を遂行し、周りにはケース１１０に収容された後述する第１回転部１６１の駆動ホイール１６１ａ’、１６１ｂ’の一部が突出する貫通孔１１３及び第２回転部１６２に巻かれた帯１３１が引込または引出される引出口１１１が形成されることができる。
【０１４８】
例えば、図面には示されていないが、貫通孔１１３は、ケース１１０の周りに沿って複数形成することができる。したがって、第１回転部１６１の駆動ホイール１６１ａ’、１６１ｂ’は、複数の箇所でケース１１０の外部に露出され、これによりユーザは、本長さ測定装置１００を自在に把持することができることはもちろん、さまざまな方法で測定対象の長さを測定することができる。
【０１４９】
図１９及び図２０を参照すると、第６の実施形態に係る長さ測定装置１００は、ケース１１０に収容され、一部がケース１１０の外部に露出されて測定対象に接触し、測定対象の表面に沿って移動する第１回転部１６１を含む。
【０１５０】
第１回転部１６１は、ケース１１０を貫通して設置される回転軸１６１１を含むことができる。
【０１５１】
回転軸１６１１は、ケース１１０を貫通して設置され、第１回転部１６１及び第２回転部１６２をケース１１０にともに固定させ、第１回転部１６１と同時に回転することができる。
【０１５２】
さらに詳細には、回転軸１６１１は、多角柱状に形成されて駆動ホイール１６１ａ’、１６１ｂ’に結合される第１結合部１６１１ａ及び第１結合部の端部から軸方向に沿って延び、後述する第２回転部１６２に結合される円柱状の第２結合部１６１１ｂを含むことができる。
【０１５３】
つまり、回転軸１６１１は、第１回転部１６１の回転時、第２回転部１６２が第１回転部１６１の回転に影響を受けずに独立して駆動されるように、第１回転部１６１と結合される一側は多角柱状に形成され、第２回転部１６２と結合される他の側は円柱状に形成することができる。
【０１５４】
また、第１回転部１６１は、回転軸１６１１に結合されてケース１１０の内部に配置され、測定対象の表面に接触した状態で回転して測定対象の表面に沿って移動する駆動ホイール１６１ａ’、１６１ｂ’を含むことができる。
【０１５５】
駆動ホイール１６１ａ’、１６１ｂ’は、複数に設置されてケース１１０の内部に軸方向に沿って予め定められた間隔で離間配置され、互いに離間配置された複数の駆動ホイール１６１ａ’、１６１ｂ’の間には、後述する第２回転部１６２が配置されることができる。例えば、図面には示されていないが、駆動ホイール１６１ａ’、１６１ｂ’には、回転軸１６１１の第１結合部１６１１ａが結合されるように、第１結合部１６１１ａの外面に対応する結合孔（図示せず）が形成されうる。
【０１５６】
このとき、駆動ホイール１６１ａ’、１６１ｂ’は、コーティング処理することができる。つまり、駆動ホイール１６１ａ’、１６１ｂ’の表面には駆動ホイール１６１ａ’、１６１ｂ’が測定対象と接地力を失うことなく、測定対象の表面に沿って正確な移動が可能となるように、予め製作されたコーティング液が塗布されることができる。
【０１５７】
また、第１回転部１６１は、ケース１１０に設置されて回転軸１６１１を支持する回転軸支持ベアリング１６１５をさらに含むことができる。
【０１５８】
一方、長さ測定装置１００は、第１回転部１６１に結合され、周りに巻取られた帯１３１が測定対象の長さだけケース１１０の外部に引き出される第２回転部１６２を含む。
【０１５９】
第２回転部１６２は、回転軸１６１１の第２結合部１６１１ｂに結合し、第１回転部１６１の駆動ホイール１６１ａ’、１６１ｂ’とは別個に回転軸１６１１から個別に駆動されるドラム１６２１を含むことができる。
【０１６０】
ドラム１６２１の端部には、軸方向に帯部１３０を支持するガイド部１６２１ａが形成されることができる。したがって引出または引込を繰り返し行う後述する帯部１３０がガイド部１６２１ａにガイドされてドラム１６２１から離脱されず、安定的にドラム１６２１に巻き取られうる。
【０１６１】
例えば、図面には示されていないが、ドラム１６２１の内側にはコイル状に巻かれ、帯部１３０に連結された弾性部材（図示せず）が収容されることができる。したがって、弾性部材は、帯１３１がケース１１０の外部に引出される場合、圧縮変形され、測定が完了して帯１３１が引き出された状態を解除する場合、弾性力によって元の形状に復元され、ケース１１０の外部に引き出された帯１３１を再びケース１１０の内部に引き込ませてドラム１６２１に巻き取らせることができる。
【０１６２】
また、第２回転部１６２は、ドラム１６２１の周りに巻き取られ、測定時にケース１１０の引出口１１１を介してケース１１０の外部に引出され、ドラム１６２１を回転させる帯部１３０を含むことができる。
【０１６３】
帯部１３０は、ドラム１６２１の周りに巻き取られる帯１３１と、帯１３１の端部に結合されて一部がケース１１０の外部に露出された状態、すなわち、引出口１１１にかかっている状態を維持するためのフック１３２とを含むことができる。
【０１６４】
帯１３１は、予め設定された長さ以内で引出時に自立的に直線状態を維持することができる素材で形成されることができ、これをさらに極大化することができるように、引き出される方向から見た断面がアーチ（ａｒｃｈ）状になるように製作することができる。
【０１６５】
帯１３１は、糸状、帯状またはテープ状など多様な形状で実現することができる。
【０１６６】
フック１３２は、帯部１３０の端部が測定対象の端部と正確に一致されうるように、測定対象の端部にかかって固定される形状に形成することができる。
【０１６７】
例えば、フック１３２は、
0006294567.tif 000006
などのように一部が垂直に折り曲げられたかぎ状に製作することができる。
【０１６８】
また、第２回転部１６２は、ドラム１６２１と第２結合部１６１１ｂとの間に配置されてドラム１６２１を支持するドラム支持ベアリング１６２３をさらに含むことができる。
【０１６９】
つまり、第１回転部１６１の駆動ホイール１６１ａ’、１６１ｂ’と第２回転部１６２のドラム１６２１は、それぞれドラム支持ベアリング１６２３の内側及び外側にそれぞれ結合されることにより、それぞれ個別に駆動することができる。
【０１７０】
図３を参照すれば、第６の実施形態に係る長さ測定装置１００において、感知部１８０は、駆動ホイール１６１ａ’、１６１ｂ’の回転量を感知する第１感知部１８１及びドラム１６２１の回転量を感知する第２感知部１８２を含むことができる。
【０１７１】
第１感知部１８１は、駆動ホイール１６１ａ’、１６１ｂ’が結合された後、所定の長さだけ軸方向に沿って外側に突出した回転軸１６１１の端部に結合されて駆動ホイール１６１ａ’、１６１ｂ’の回転量を感知することができる。
【０１７２】
そして、第２感知部１８２は、ドラム１６２１の端部に結合されてドラム１６２１の回転量を感知することができる。
【０１７３】
より詳細には、第２感知部１８２は、ドラム１６２１の一側に形成されたガイド部に対応するドラム１６２１の他の側に結合されてガイド部１６２１ａとともに帯部１３０を支持するとともに、ドラム１６２１の回転量を感知することができる。
【０１７４】
ボタン部１２３は、ユーザから見た長さ測定装置１００の動作モードを設定するためのコマンドの入力を受けることができる。例えば、ユーザがボタン部１２３を１回押すと帯１３１による長さ測定モード、２回押すと駆動ホイール１６１ａ’、１６１ｂ’の回転量による長さ測定モード、３回押すと後述する非接触測定部１４０による長さ測定モードなどに選択されて具現されることができる。もちろん、ここで例示したもの以外にも、ボタン部１２３は、実施形態に従って、長さ測定装置１００の動作に関連する各種コマンドをユーザから入力を受けられるよう具現することができる。
【０１７５】
一方、第１回転部１６１を介してユーザからコマンドの入力を受けるように具現することも可能である。例えば、ボタン部１２３を押すと、ディスプレイ部１２１に初期メニューが表示され、ユーザが第１回転部１６１の駆動ホイール１６１ａ’、１６１ｂ’を回転させながら、下位メニューを選択できるように具現されることができる。例えば、ボタン部１２３を１回押すと３種類の長さの測定モードのいずれかが表示され、ユーザが第１回転部１６１の駆動ホイール１６１ａ’、１６１ｂ’を回転させることによって、ディスプレイ部１２１に表示される長さ測定モードが変更されるようにすることができる。以後、ユーザが特定の長さ測定モードがディスプレイ部１２１に表示された状態で再度ボタン部１２３を押すと、そのモードが選択され、本長さ測定装置１００は、選択されたモードで動作することができる。もちろん、ここで説明したこと以外にも、ボタン部１２３と第１回転部１６１をユーザが選択的に操作すると、それに対応するユーザコマンドの入力を受けるように具現することができる。
【０１７６】
制御部１９１は、帯１３１を用いた測定モードでは、第２感知部１８２を介してドラム１６２１の回転量を感知して帯１３１の引出の程度を測定長さに換算することができる。また、制御部１９１は、駆動ホイール１６１ａ’、１６１ｂ’を用いた測定モードでは、第１感知部１８１を介して駆動ホイール１６１ａ’、１６１ｂ’の回転量を感知して、第１回転部１６１の回転量を測定長さに換算することができ、非接触測定部１４０を用いた測定モードでは、非接触測定部１４０からレーザー、赤外線または超音波などが発生して、再受信された時間などを測定長さに換算することができる。
【０１７７】
前述のように、本発明の第６の実施形態に係る長さ測定装置１００の電子的構成要素は、図３で説明したのと同じ参照符号を有する構成要素と同じ機能を遂行するため、ここで詳細な説明は省略する。
【０１７８】
一方、本発明に係る第６の実施形態に係る長さ測定装置も、図５に例示したように、帯１３１がドラム１６２１に複数回巻かれて積層されている。したがって、ドラム１６２１が１回転するたびに解かれる帯１３１の長さは次第に短くなるという点を考慮して、数式１のようなアルゴリズムを適用して単位回転量を長さに換算する換算比を予め定められた区間ごとに段階的に小さく適用するように具現することができる。
【０１７９】
一方、第６の実施形態に係る長さ測定装置１００に対して図２１に例示したように、第３回転部１６３をさらに備え、第２回転部１６２でなく第３回転部１６３の回転量を測定長さに換算するように具現することも可能である。
【０１８０】
図２１は、本発明の第７の実施形態に係る長さ測定装置の主要構成要素のケース内部配置関係を示す図である。
【０１８１】
図２１を参照すれば、第７の実施形態に係る長さ測定装置１００は、ドラム１６２１と引出口１１１との間に配置され、ドラム１６２１から引出口１１１側に向かう帯１３１が巻取られ、ユーザが帯１３１の他端に締結されたフック１３２を引っ張る場合、第２回転部１６２のドラム１６２１と同時に回転される第３回転部１６３をさらに含むことができる。
【０１８２】
より詳細には、第３回転部１６３は、ドラム１６２１と引出口１１１との間に配置され、周りには第２回転部１６２のドラム１６２１に複数回巻かれた後、引出口１１１側に向かって延びる帯１３１が１回巻かれた構造を有することができる。
【０１８３】
すなわち、図９に示されたように、第２回転部１６２のドラム１６２１には、帯１３１が積層された構造で巻かれているので、ドラム１６２１の回転が増加するほどケース１１０の外部に引出される帯１３１の長さが次第に短くなる一方、第３回転部１６３の周りには、帯１３１が１回巻かれているので、第３回転部１６３の回転が増加しても、第３回転部１６３を介してケース１１０の外部に引き出される帯１３１の長さが常に同様に維持することができる。
【０１８４】
したがって、制御部１９１は、帯１３１がケース１１０の外部に引出される場合、第２回転部１６２のドラム１６２１でない第３回転部１６３の回転量を感知し、これを換算して測定長さを計算することにより、数式１のような複雑な計算をしなくても帯１３１の引込または引出による長さ測定を正確に行うことができる。
【０１８５】
ここで、第２感知部１８２は、ドラム１６２１に設置されず、第３回転部１６３の回転量を測定することができるように、第３回転部１６３の回転軸に設置することができる。
【０１８６】
第４の実施形態ないし第７実施形態の長さ測定装置１００は、図４に例示したように、レーザーガイド部１５０を介して長さ測定装置１００の前後ガイド線２１０、２２０を表示されるようにすることにより、ユーザは、ガイド線２１０、２２０に沿って長さ測定装置１００を移動させながら、正確な長さ測定が可能となる。また、第４の実施形態ないし第７実施形態の長さ測定装置１００は、図９及び図１０に例示したように、直線または曲線の長さの測定が可能であり、非接触測定部１４０を介して遠隔に離れている測定対象物までの距離測定も可能である。もちろん、第４の実施形態ないし第７実施形態の長さ測定装置１００は、図１１に例示したように、ユーザ端末２００と連動して動作することができる。
【０１８７】
以上、本発明の実施形態を説明したが、本発明の権利範囲はこれに限定されるものでなく、本発明の実施形態から、本発明が属する技術分野において通常の知識を有する者によって容易に変更され、均等なものと認められる範囲のすべての変更と修正が含まれる。
【図１】
0006294567.tif 000007
【図２】
0006294567.tif 000008
【図３】
0006294567.tif 000009
【図４】
0006294567.tif 000010
【図５】
0006294567.tif 000011
【図６】
0006294567.tif 000012
【図７】
0006294567.tif 000013
【図８】
0006294567.tif 000014
【図９】
0006294567.tif 000015
【図１０】
0006294567.tif 000016
【図１１】
0006294567.tif 000017
【図１２】
0006294567.tif 000018
【図１３】
0006294567.tif 000019
【図１４】
0006294567.tif 000020
【図１５】
0006294567.tif 000021
【図１６】
0006294567.tif 000022
【図１７】
0006294567.tif 000023
【図１８】
0006294567.tif 000024
【図１９】
0006294567.tif 000025
【図２０】
0006294567.tif 000026
【図２１】
0006294567.tif 000027